(57)【要約】 【課題】ＰＤＰの高精細化に伴って輝度および発光効率が低下するのを防止する。【解決手段】ＰＤＰが、前面ガラス基板１と背面ガラス基板４の間の行電極対（Ｘ，Ｙ）よりも放電空間Ｓ側に配置され、それぞれ放電セルＣに対向する位置において所要のギャップを介して互いに前面ガラス基板１と水平な向きに対向して対になっており、前面ガラス基板１の厚さ方向において行電極対（Ｘ，Ｙ）の行電極Ｘ，Ｙに対してそれぞれ部分的に重なるとともに誘電体層２を介して離間している電界制御用電極Ｚｘ，Ｚｙを備えている。【選択図】図３
2007265772.tif 000002
【特許請求の範囲】
【請求項１】
放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、
前記一対の基板の間の行電極対よりも放電空間側に配置され、それぞれ単位発光領域に対向する位置において所要のギャップを介して互いに基板と水平な向きに対向して対になっており、基板の厚さ方向において行電極対の行電極に対してそれぞれ部分的に重なるとともに誘電体層を介して離間している電界制御用電極を備えていることを特徴とするプラズマディスプレイパネル。
【請求項２】
前記電界制御用電極が、ギャップを介して対になっている他方の電界制御用電極に対向する先端部に、他方の電界制御用電極側に向かって突出する突起部を有している請求項１に記載のプラズマディスプレイパネル。
【請求項３】
前記電界制御用電極に、突起部が、他方の電界制御用電極との間のギャップに沿って所要の間隔で複数個形成されている請求項２に記載のプラズマディスプレイパネル。
【請求項４】
前記突起部が、幅以上の長さを有している請求項２に記載のプラズマディスプレイパネル。
【請求項５】
前記電界制御用電極が、ギャップを介して対になっている他方の電界制御用電極に対向する先端部に、他方の電界制御用電極側に向かって突出する第１突起部と、この第１突起部から基板と直角向きに突出する第２突起部を備えている請求項１に記載のプラズマディスプレイパネル。
【請求項６】
前記第１突起部および第２突起部が、それぞれ、幅以上の長さを有している請求項５に記載のプラズマディスプレイパネル。
【請求項７】
前記第２突起部が、第１突起部の長さ方向に所要の間隔で複数個形成されている請求項５に記載のプラズマディスプレイパネル。
【請求項８】
前記電界制御用電極に、第１突起部が、他方の電界制御用電極との間のギャップに沿って所要の間隔で複数個形成されている請求項５に記載のプラズマディスプレイパネル。
【請求項９】
前記電界制御用電極が、行電極対を被覆する誘電体層上に形成された他の誘電体層によって被覆され、この電界制御用電極を被覆する誘電体層の厚さが５μｍ以下に設定されている請求項１に記載のプラズマディスプレイパネル。
【請求項１０】
前記単位発光領域の少なくとも一方向の一辺の長さが４００μｍ以下である請求項１に記載のプラズマディスプレイパネル。
【発明の詳細な説明】
【技術分野】
【０００１】
この発明は、プラズマディスプレイパネルの構成に関する。
【背景技術】
【０００２】
一般に、プラズマディスプレイパネル（以下、ＰＤＰという）は、放電空間を挟んで互いに対向する二枚のガラス基板のうちの一方のガラス基板に、行方向に延びる複数の行電極対が列方向に並設されて誘電体層によって被覆され、さらに、この誘電体層の面上に、酸化マグネシウムによる保護層が形成されており、他方のガラス基板に、列方向に延びる複数の列電極が行方向に並設されて、行電極対と列電極がそれぞれ交差する部分の放電空間に、パネル面に沿ってマトリックス状に配列される放電セルが形成されている。
【０００３】
各放電セル内には、赤，緑，青の三原色に色分けされた蛍光体層が形成されている。
【０００４】
そして、このＰＤＰの放電空間内に、ネオンとキセノンの混合ガスからなる放電ガスが封入されている。
【０００５】
このような構成のＰＤＰは、対になっている行電極間において一斉にリセット放電が行われ、次に、行電極対の一方の行電極と列電極との間で選択的にアドレス放電が発生されて、放電セルに対向する部分の誘電体層に壁電荷が形成されている発光セルと誘電体層の壁電荷が消去された消灯セルがパネル面に分布され、そして、この後、発光セル内において対になっている行電極間でサステイン放電が行われて、放電空間内の放電ガスのキセノンから真空紫外線が放射され、この真空紫外線によって赤，緑，青の蛍光体層がそれぞれ励起されて発光することにより、パネル面に映像信号に対応した画像が形成される。
【０００６】
従来、このような構成のＰＤＰにおいては、画面の高精細化を図るために放電セルを微細化する際に、各放電セルの寸法の縮小に伴って、パネルの輝度および発光効率が低下してしまうという問題が発生している。
【０００７】
このような問題が発生する理由は以下の通りである。
【０００８】
図１はグロー放電プラズマの基本的な構造を示しており、この図１において、それぞれ、放電管Ｔの電極Ｅ１とＥ２の間隔をｘとし、陽光柱と陽極グロー，陽極暗部を含む部分の長さをｙ、負グローおよびファラデ暗部を含む部分の長さをｃ、陰極降下部の長さをｄとすると、陽光柱を含む部分の長さｙは、
ｙ＝ｘ−（ｄ＋ｃ）
となる。
【０００９】
ここで、この放電管Ｔの電極Ｅ１とＥ２間の長さｘが短くなった場合を考えると、負グローおよびファラデ暗部を含む部分の長さｃと陰極降下部の長さｄとの和（ｄ＋ｃ）は変化しないため、図２のグラフに示されるように、陽光柱を含む部分の長さｙは、電極Ｅ１とＥ２の間隔ｘが短くなるほど短くなってしまい、この電極Ｅ１とＥ２の間隔ｘが（ｄ＋ｃ）と等しくなると、陽光柱は発生しなくなってしまうことになる。
【００１０】
これと同様の現象が、ＰＤＰの放電セルＣのサイズが微細化される場合に発生し、放電セルが微細化される際の各放電セルの寸法の縮小に伴って、行電極間の間隔が短くなると、放電セル内において放電によって発生する陽光柱の長さが短くなって、パネルの輝度および発光効率が低下してしまうことになる。
【００１１】
このような放電セルの微細化に伴うパネルの輝度および発光効率の低下が、ＰＤＰの高精細化を図る上での障害になっており、これらの問題を解決することが長年の課題になっている。
【発明の開示】
【発明が解決しようとする課題】
【００１２】
この発明は、上記のような従来のＰＤＰにおける課題を達成することをその解決課題の一つとしている。
【課題を解決するための手段】
【００１３】
この発明（請求項１に記載の発明）によるプラズマディスプレイパネルは、上記課題を解決するために、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層とを有しているプラズマディスプレイパネルにおいて、前記一対の基板の間の行電極対よりも放電空間側に配置され、それぞれ単位発光領域に対向する位置において所要のギャップを介して互いに基板と水平な向きに対向して対になっており、基板の厚さ方向において行電極対の行電極に対してそれぞれ部分的に重なるとともに誘電体層を介して離間している電界制御用電極を備えていることを特徴としている。
【発明を実施するための最良の形態】
【００１４】
この発明は、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層と、前記一対の基板の間の行電極対よりも放電空間側に配置され、それぞれ単位発光領域に対向する位置において所要のギャップを介して互いに基板と水平な向きに対向して対になっており、基板の厚さ方向において行電極対の行電極に対してそれぞれ部分的に重なるとともに誘電体層を介して離間している電界制御用電極とを備えたＰＤＰを、その最良の実施形態としている。
【００１５】
この実施形態によるＰＤＰは、駆動時に、単位発光領域毎に対になって配置されている電界制御用電極間に所要の電圧が印加されて、この一対の電界制御用電極によって電界制御用電極の近傍の対向する単位発光領域内に強電界領域が形成される。
【００１６】
そして、行電極対の行電極間で発生されるグロー放電プラズマの陰極降下部が、この強電界領域内に限定されることによって、グロー放電プラズマの陰極降下部の長さが従来のＰＤＰよりも短くなって、その分、単位発光領域内において、従来のＰＤＰよりも広いグロー放電プラズマの陽光柱の発生領域が確保される。
【００１７】
従って、上記ＰＤＰは、ＰＤＰの高精細化によって各単位発光領域のサイズが例えば単位発光領域の少なくとも一方向の一辺の長さが４００μｍ以下に縮小され、これに伴って行電極対の行電極間の間隔が縮小される場合でも、行電極対の行電極間での放電発生時に、十分な長さを有するグロー放電プラズマの陽光柱を形成することが出来るようになり、これによって、高精細化に伴う発光輝度や発光効率の低下を防止することが出来るようになる。
【００１８】
上記実施形態のＰＤＰにおいて、電界制御用電極が、ギャップを介して対になっている他方の電界制御用電極に対向する先端部に、他方の電界制御用電極側に向かって突出する突起部を備えるようにすることが好ましく、これによって、単位発光領域内に強電界領域が形成され易くなる。
【００１９】
そして、この単位発光領域内への強電界領域の形成は、電界制御用電極に突起部を、対になっている他方の電界制御用電極との間のギャップに沿って所要の間隔で複数個形成したり、突起部の長さを幅以上の大きさに設定することにより、さらに容易になる。
【００２０】
さらに、上記実施形態のＰＤＰにおいて、電界制御用電極が、ギャップを介して対になっている他方の電界制御用電極に対向する先端部に、他方の電界制御用電極側に向かって突出する第１突起部と、この第１突起部から基板と直角向きに突出する第２突起部を備えるようにすることが好ましい。
【００２１】
このＰＤＰは、第１突起部に基板と直角向きに突出する第２突起部が形成されていることによって、電界制御用電極によって形成される強電界の分布が、第１突起部のみを有している場合に比べて、電界制御用電極に対して直角方向、すなわち、放電空間側の方向に向けられて、行電極を被覆する誘電体層側への浸透が小さくなるとともに、単位発光領域内における強電界領域の形成を確実に行うことが出来るようになる。
【００２２】
そして、この単位発光領域内への強電界領域の形成は、第１突起部および第２突起部の長さをそれぞれ幅以上の長さに設定したり、第２突起部を第１突起部の長さ方向に所要の間隔で複数個形成したり、第１突起部を対になっている他方の電界制御用電極との間のギャップに沿って所要の間隔で複数個形成したりすることによって、さらに確実に行われるようにすることが出来る。
【００２３】
さらに、上記実施形態のＰＤＰにおいて、電界制御用電極が、行電極対を被覆する誘電体層上に形成された他の誘電体層によって被覆され、この電界制御用電極を被覆する誘電体層の厚さが５μｍ以下に設定されるようにすることが好ましい。
【００２４】
このＰＤＰは、電界制御用電極を被覆する誘電体層の厚さが５μｍ以下に設定されることによって、電界制御用電極が誘電体層によって被覆されている場合でも、誘電体層の表面に強電界が現れるようにすることが出来る。
【実施例１】
【００２５】
図３ないし５は、この発明によるＰＤＰの実施形態の第１の実施例を示しており、図３はこの第１実施例におけるＰＤＰを模式的に示す正面図、図４は図３のＶ−Ｖ線における断面図、図５は図３のＷ−Ｗ線における断面図である。
【００２６】
この図３ないし５に示されるＰＤＰは、表示面である前面ガラス基板１の背面に、複数の行電極対（Ｘ，Ｙ）が、前面ガラス基板１の行方向（図１の左右方向）に延びるように平行に配列されている。
【００２７】
行電極Ｘは、ＩＴＯ等の透明導電膜によって行方向に延びる帯状の透明電極Ｘａと、この透明電極Ｘａの基端側に接続されて金属膜によって行方向に延びる幅狭の帯状のバス電極Ｘｂとによって構成されている。
【００２８】
行電極Ｙも、行電極Ｘと同様に、ＩＴＯ等の透明導電膜によって行方向に延びる帯状の透明電極Ｙａと、この透明電極Ｙａの基端側に接続されて金属膜によって行方向に延びる幅狭の帯状のバス電極Ｙｂとによって構成されている。
【００２９】
この行電極ＸとＹは、前面ガラス基板１の列方向（図１の上下方向）に交互に配列されており、それぞれの透明電極ＸａとＹａが、互いに対となる相手の行電極側に延びて、所要の幅の放電ギャップを介して対向されている。
【００３０】
前面ガラス基板１の背面には、誘電体層２が形成されて、この誘電体層２によって行電極対（Ｘ，Ｙ）が被覆されている。
【００３１】
この誘電体層２の背面に、下記のような形状の複数個の電界制御用電極ＺｘとＺｙが、それぞれ、行電極Ｘ，Ｙの透明電極Ｘａ，Ｙａに沿って行方向に配列されている。
【００３２】
すなわち、電界制御用電極Ｚｘは、それぞれが、独立した略方形形状に成形されていて、先端側に一体的に成形されてこの先端縁部に沿って櫛歯状に等間隔に並ぶとともに前方側に突出する複数の突起Ｚｘａを有している。
【００３３】
この各突起Ｚｘａは、それぞれ、その前後方向（突起Ｚｘａが突出する方向）の長さが幅方向の寸法よりも長い幅狭の長方形状に成形されている。
【００３４】
そして、各電界制御用電極Ｚｘは、誘電体層２の背面において行電極Ｘに沿って所定の等間隔位置に配列されるとともに、前面ガラス基板１側から見て、行電極Ｘの透明電極Ｘａに重なるとともに、突起Ｚｘａが透明電極Ｘａの先端部（透明電極Ｙａに対向する側の端部）から前方側に突出する位置に位置されている。
【００３５】
電界制御用電極Ｚｙも、電界制御用電極Ｚｘと同様に、それぞれが、独立した略方形形状を有していて、先端側に一体的に成形されてこの先端側縁部に沿って櫛歯状に等間隔に並ぶとともに前方側に突出する複数の突起Ｚｙａを有している。
【００３６】
この各突起Ｚｙａは、それぞれ、その前後方向（突起Ｚｙａが突出する方向）の長さが幅方向の寸法よりも長い幅狭の長方形状に成形されている。
【００３７】
そして、各電界制御用電極Ｚｙは、誘電体層２の背面において行電極Ｙに沿って所定の等間隔位置に配列されるとともに、前面ガラス基板１側から見て、行電極Ｙの透明電極Ｙａに重なるとともに、突起Ｚｙａが透明電極Ｙａの先端部（透明電極Ｘａに対向する側の端部）から前方側に突出する位置に位置されており、各突起Ｚｙａが電界制御用電極Ｚｘの突起Ｚｘａとそれぞれ所要のギャップを介して一対一で対向されている。
【００３８】
誘電体層２の背面には、さらに、酸化マグネシウムによって保護層３が形成されて、誘電体層２と電界制御用電極Ｚｘ，Ｚｙを被覆している。
【００３９】
一方、前面ガラス基板１と所要の間隔を開けて平行に配置された背面ガラス基板４の表示側の面上には、列電極Ｄが、それぞれ、互いに対向して対になった電界制御用電極Ｚｘ，Ｚｙに対向する位置において行電極対（Ｘ，Ｙ）と直交する方向（列方向）に延びるように、互いに所定の間隔を開けて平行に配列されている。
【００４０】
背面ガラス基板４の表示側の面上には、さらに、列電極Ｄを被覆する白色の列電極保護層(誘電体層）５が形成され、この列電極保護層５上に、隔壁６が形成されている。
【００４１】
この隔壁６は、隣接する行電極対（Ｘ，Ｙ）の背中合わせに位置するバス電極ＸｂとＹｂに対向する位置においてそれぞれ行方向に延びる横壁６Ａと、隣接する列電極Ｄの間の中間位置に対向する位置おいて列方向に延びる縦壁６Ｂとによって略格子形状に成形されている。
【００４２】
そして、この略格子形状の隔壁６によって、前面ガラス基板１と背面ガラス基板６の間の放電空間Ｓが、それぞれ方形に区画されて放電セルＣが形成されており、この実施例においては、各放電セルＣの縦および横の双方または一方の長さが、４００μｍ以下に設定されている。  
この各放電セルＣには、行電極対（Ｘ，Ｙ）の互いに対向する透明電極Ｘａ，Ｙａと、互いに対向して対になっている電界制御用電極Ｚｘ，Ｚｙが、それぞれ対向されている。
【００４３】
各放電セルＣ内において、隔壁６の横壁６Ａおよび縦壁６Ｂの側面と列電極保護層５の表面には、これらの五つの面を全て覆うように蛍光体層７が形成されており、この蛍光体層７の色は、各放電セルＣ毎に色分けされて赤，緑，青の三原色が行方向に順に並ぶように配列されている。
【００４４】
放電空間Ｓ内には、キセノンを含む放電ガスが封入されている。
【００４５】
このＰＤＰは、駆動時に、行電極対（Ｘ，Ｙ）の透明電極ＸａとＹａ間において一斉にリセット放電が行われる。
【００４６】
次に、行電極対（Ｘ，Ｙ）の一方の行電極Ｙと列電極Ｄとの間で映像信号に対応して選択的にアドレス放電が発生されて、放電セルＣに対向する部分の誘電体層２に壁電荷が形成（または、形成されている壁電荷が消去）されることにより、対向する部分の誘電体層２に壁電荷が形成されている発光セルと誘電体層２の壁電荷が消去された消灯セルとが、パネル面に分布される。
【００４７】
そして、この後、発光セル内において行電極対（Ｘ，Ｙ）の行電極Ｘ，Ｙの透明電極Ｘａ，Ｙａ間でサステイン放電が行われて、放電空間Ｓ内の放電ガス中のキセノンから真空紫外線が放射され、この真空紫外線によって赤，緑，青の蛍光体層７がそれぞれ励起されて発光することにより、映像信号に対応したマトリックス表示による画像がパネル面に形成される。
【００４８】
このＰＤＰの駆動時において、電界制御用電極ＺｘとＺｙ間には所要の電圧が印加されており、この電圧が印加された電界制御用電極Ｚｘ，Ｚｙによって、図６に示されるように、放電セルＣ内の電界制御用電極Ｚｘ，Ｚｙの近傍の保護層３の表面と平行な領域に、平板状の強電界領域Ａが形成されて、サステイン放電の発生時に、グロー放電プラズマの陰極降下部（図１参照）がこの強電界領域Ａに限定されることになる。
【００４９】
なお、従来の電界制御用電極を有しないＰＤＰにおいては、放電セル内の保護層の表面と平行な領域には弱電界領域のみが形成されるので、グロー放電プラズマの陰極降下部の発生領域が保護層近傍の狭い領域に限定されることはない。
【００５０】
従って、図１について行った説明から分かるように、このＰＤＰにおいて、サステイン放電が発生される際に、
ｙ１＝ｘ１−（ｄ１＋ｃ１）
ｘ１：透明電極ＸａとＹａ間の放電距離
ｙ１：陽光柱ＰＣの長さ
ｃ１：負グローおよびファラデ暗部を含む部分の長さ
ｄ１：陰極降下部の長さ
の式から、陰極降下部が強電界領域Ａに限定されて陰極降下部の長さｄ１が従来のＰＤＰの場合よりも短くなることにより、図７に示されるように、その分、放電セルＣ内において発生する陽光柱ＰＣの長さｙ１が、従来のＰＤＰの場合と比較して長くなる。
【００５１】
このことから、上記ＰＤＰは、ＰＤＰの高精細化によって各放電セルＣのサイズが縮小され、これに伴って、サステイン放電を発生させる透明電極ＸａとＹａの間の間隔が縮小される場合でも、サステイン放電時に十分な長さを有する陽光柱ＰＣを形成することが出来るようになり、これによって、発光輝度や発光効率の低下を防止することが出来るようになる。
【００５２】
ここで、ＰＤＰが放電の際に放電空間内に強電界領域を形成する構造になっている場合には、誘電体層の内部に極めて大きな電界が生じて、誘電体層の破損による絶縁破壊を起こしてしまう場合がある。
【００５３】
そして、ＰＤＰにこのような絶縁破壊が生じると、放電空間において発生して誘電体層の表面に蓄積される多量の壁電荷の影響によって、誘電体層が被覆している放電電極（行電極）に対して多量の電子の流入と流出が起こり、この放電電極（行電極）の破壊や誘電体層の更なる破壊，電源系の回路の破壊等が発生する虞が生じる。
【００５４】
例えば、図８および９は、上記ＰＤＰの電界制御用電極と同様の形状の電極Ｚ１ｘ，Ｚ１ｙが前面ガラス基板１０の背面に対向して形成され、誘電体層１１によって被覆されている状態を示しており、電極Ｚ１ｘ，Ｚ１ｙの互いに対向する先端縁部には、それぞれ、櫛歯状に配列された長さ２０μｍ，幅１０μｍの複数の突起Ｚ１ｘａ、Ｚ１ｙａが、１５μｍ間隔に配列されて形成されている。
【００５５】
図９中、１２は誘電体層１１を被覆する酸化マグネシウム層であり、ｉは電極Ｚ１ｘ，Ｚ１ｙ間に電圧が印加された際に生じる等電位線を示している。
【００５６】
この図９において、強電界Ａ１は、誘電体層１１内において電極Ｚ１ｘ，Ｚ１ｙの突起Ｚ１ｘａ、Ｚ１ｙａの先端部近傍の極狭い領域に集中して発生しており、このことから、電界制御用電極が誘電体層によって被覆される場合には、この電界制御用電極の先端部近傍の誘電体層が破壊される虞があることが分かる。
【００５７】
このため、上記ＰＤＰにおいては、電界制御用電極Ｚｘ，Ｚｙが、それぞれ、誘電体層２の背面の、前面ガラス基板１側から見て、行電極Ｘ，Ｙの透明電極Ｘａ，Ｙａに重なるとともに、突起Ｚｘａ，Ｚｙａが透明電極Ｘａ，Ｙａの先端部（互いに放電ギャップを介して対向する側の端部）から前方側に突出する位置に位置されることによって、絶縁破壊の発生を防止している。
【００５８】
すなわち、図１０および１１は、図３ないし５のＰＤＰにおける電界制御用電極Ｚｘ，Ｚｙによる強電界の発生状態を示している。
【００５９】
この図１０，１１において、Ｗは前面ガラス基板１側から見た際に電界制御用電極Ｚｘ，Ｚｙの透明電極Ｘａ，Ｙａの先端から突出している部分の長さを示し、ｗは電界制御用電極Ｚｘ，Ｚｙの突起Ｚｘａ，Ｚｙａの長さを示し、ｉは電界制御用電極Ｚｘ，Ｚｙに電圧が印加された際に生じる等電位線を示し、領域αは、それぞれ、電界制御用電極Ｚｘと透明電極Ｘａに挟まれた領域および電界制御用電極Ｚｙと透明電極Ｙａに挟まれた領域を示し、領域βは、透明電極ＸａとＹａ間の電界制御用電極ＺｘとＺｙの先端部分のみが含まれる領域を示している。
【００６０】
図１１から分かるように、図３ないし５の構成のＰＤＰにおいては、電界制御用電極Ｚｘ，Ｚｙによって、誘電体層２の表面および電極の近傍の放電空間Ｓ内に、電界領域が形成される。
【００６１】
そして、領域αの部分では、電界制御用電極Ｚｘと透明電極Ｘａまたは電界制御用電極Ｚｙと透明電極Ｙａによって、それぞれ、平行平板型容量構造が形成されていて強電界は発生しないが、領域βにおいては、電界制御用電極Ｚｘ，Ｚｙの突起Ｚｘａ，Ｚｙａの周辺において強電界が発生する。
【００６２】
そして、電界制御用電極Ｚｘ，Ｚｙが誘電体層２の背面側に形成されていることによって、この電界制御用電極Ｚｘ，Ｚｙの突起Ｚｘａ，Ｚｙａの周辺に発生する強電界の誘電体層２への浸透は少なく、むしろ、放電空間側（図１１の下方側）に片寄って形成される。
【００６３】
このため、図３ないし５の構成のＰＤＰは、電界制御用電極Ｚｘ，Ｚｙが形成する強電界によって誘電体層２が損傷されて絶縁破壊が発生するのが防止される。
【００６４】
また、万一この絶縁破壊が発生した場合でも、透明電極Ｘａ，Ｙａの先端から突出している電界制御用電極Ｚｘ，Ｚｙの長さＷを、電界制御用電極Ｚｘ，Ｚｙの突起Ｚｘａ，Ｚｙａの長さｗよりも十分に大きくなるように設定しておけば、透明電極Ｘａ，Ｙａと電界制御用電極Ｚｘ，Ｚｙが導通されるのを防止することが出来る。
【００６５】
なお、図３ないし５のＰＤＰの構成においては、電界制御用電極Ｚｘ，Ｚｙが誘電体層２上に形成されて保護層３のみによって被覆されているが、誘電体層２上にさらに第２誘電体層を形成して電界制御用電極Ｚｘ，Ｚｙを被覆するようにしても良い。
【００６６】
この場合には、図８および９において説明したように、電界制御用電極Ｚｘ，Ｚｙによって形成される強電界によって、電界制御用電極Ｚｘ，Ｚｙを被覆する第２誘電体層の絶縁破壊が問題となる。
【００６７】
図１２は、電界制御用電極Ｚｘ，Ｚｙを被覆する第２誘電体層の厚さが１μｍの場合の第２誘電体層の表面における放電分布を、誘電体層の厚さが２０μｍで電極が突起を有していない場合と比較して示すグラフであり、横軸に第２誘電体層の表面からの距離が、縦軸に電界強度がそれぞれ採られている。
【００６８】
この図１２から分かるように、電界制御用電極Ｚｘ，Ｚｙがその先端部に突起Ｚｘａ，Ｚｙａを有していることによって強電界を発生し、さらに、この強電界が第２誘電体層の表面に浸み出して放電空間内に強電界領域を形成するが、電極が突起を有しておらず第２誘電体層の厚みが厚い場合には、強電界部は第２誘電体層の表面には現れない。
【００６９】
以上のことから、電界制御用電極Ｚｘ，Ｚｙを被覆する第２誘電体層を形成する場合、この第２誘電体層の厚さが十分に薄い場合には、第２誘電体層の表面に急峻な電界分布が現れることが分かる。
【００７０】
実験の結果、第２誘電体層の厚さが５μｍ以下の場合に、強電界部が第２誘電体層の表面に現れる。
【００７１】
図１３は、電界制御用電極Ｚｘ，Ｚｙの突起Ｚｘａ，Ｚｙａの長さと第２誘電体層の表面における電界分布の関係を示したグラフであり、突起Ｚｘａ，Ｚｙａの長さを０μｍ（すなわち、突起無し）にした場合と、１０μｍにした場合と、２０μｍにした場合の電界分布が比較して示されている。
【００７２】
なお、この図１３において、電界制御用電極Ｚｘ，Ｚｙを被覆する第２誘電体層の厚さは何れも１μｍであり、突起の幅は何れも１０μｍに設定されている。
【００７３】
この図１３から、電極の突起の長さが１０μｍ以上の場合に電界強度が急激に増加することにより、突起の長さが突起の幅（１０μｍ）以上あれば、電界制御用電極Ｚｘ，Ｚｙを第２誘電体層によって被覆した場合でも、十分に第２誘電体層の表面近傍に強電界領域を形成できることが分かる。
【実施例２】
【００７４】
図１４および１５は、この発明によるＰＤＰの第２の実施例における電界制御用電極の形状を示している。
【００７５】
この第２実施例において、互いに対向して対になる電界制御用電極Ｚは、何れも、第１実施例の電界制御用電極Ｚｘ，Ｚｙと同様に、先端側に一体的に成形されてこの先端側縁部に沿って櫛歯状に等間隔に並ぶとともに前方側に突出する複数の第１突起Ｚａを有している。
【００７６】
そして、この電界制御用電極Ｚには、さらに、第１突起Ｚａのそれぞれの先端部の一方の側の面上に、電界制御用電極Ｚの平板方向に対して直交する方向に第１突起Ｚａから突出する第２突起Ｚｂが、複数個（図示の例では、それぞれ３個ずつ）一体的に形成されている。
【００７７】
この電界制御用電極Ｚは、第１実施例のＰＤＰの場合と同様に、行電極を被覆する誘電体層の背面側に行電極の透明電極と平行に配置され、このとき、第２突起Ｚｂは、例えば、放電空間側に向くように配置される。
【００７８】
この第２実施例におけるＰＤＰの他の部分の構成は、図３ないし５のＰＤＰの構成と同様である。
【００７９】
この第２実施例によるＰＤＰは、駆動時に、電界制御用電極Ｚに電圧が印加されることによって、第１実施例において説明したように、電界制御用電極Ｚの先端部に強電界が発生する。
【００８０】
このとき、電界制御用電極Ｚの第１突起Ｚａには、この第１突起Ｚａから直角向きに突出する第２突起Ｚｂが形成されていることによって、発生する強電界の分布が、第１実施例の場合と比べて、電界制御用電極Ｚに対して直角方向、すなわち、放電空間側の方向に向けられて、行電極を被覆する誘電体層側への浸透が小さくなるとともに、放電空間内における強電界領域の形成を確実に行うことが出来るようになる。
【００８１】
従って、この第２実施例によるＰＤＰは、ＰＤＰの高精細化によって各放電セルのサイズが縮小され、これに伴って、サステイン放電を発生させる行電極対の透明電極間の間隔が縮小される場合でも、サステイン放電時に十分な長さを有する陽光柱を形成することが出来るようになり、これによって、第１実施例のＰＤＰの場合よりもさらに、発光輝度や発光効率の低下を防止することが出来るようになる。
【００８２】
なお、上記電界制御用電極Ｚの第２突起Ｚｂの長さに関しては、第１実施例において電界制御用電極の突起について説明したのと同様であり、第２突起Ｚｂの幅よりも長さが大きくなるように設定すれば良く、また、第２突起Ｚｂの互いの配置間隔も第２突起Ｚｂの幅より大きくなるように設定するのが好ましい。
【００８３】
上記各実施例のＰＤＰは、放電空間を介して対向する一対の基板と、この一対の基板の間に配置されて互いに交差する方向に延びて交差部分の放電空間にそれぞれ単位発光領域を形成する行電極対および列電極と、行電極対を被覆する誘電体層と、前記一対の基板の間の行電極対よりも放電空間側に配置され、それぞれ単位発光領域に対向する位置において所要のギャップを介して互いに基板と水平な向きに対向して対になっており、基板の厚さ方向において行電極対の行電極に対してそれぞれ部分的に重なるとともに誘電体層を介して離間している電界制御用電極とを備えたＰＤＰを、その上位概念の実施形態としている。
【００８４】
この上位概念を構成する実施形態のＰＤＰは、駆動時に、単位発光領域毎に対になって配置されている電界制御用電極間に所要の電圧が印加されて、この一対の電界制御用電極によって電界制御用電極の近傍の対向する単位発光領域内に強電界領域が形成される。
【００８５】
そして、行電極対の行電極間で発生されるグロー放電プラズマの陰極降下部が、この強電界領域内に限定されることによって、グロー放電プラズマの陰極降下部の長さが従来のＰＤＰよりも短くなって、その分、単位発光領域内において、従来のＰＤＰよりも広いグロー放電プラズマの陽光柱の発生領域が確保される。
【００８６】
従って、上記ＰＤＰは、ＰＤＰの高精細化によって各単位発光領域のサイズが縮小され、これに伴って行電極対の行電極間の間隔が縮小される場合でも、行電極対の行電極間での放電発生時に、十分な長さを有するグロー放電プラズマの陽光柱を形成することが出来るようになり、これによって、高精細化に伴う発光輝度や発光効率の低下を防止することが出来るようになる。
【図面の簡単な説明】
【００８７】
【図１】この発明の従来例を説明するための説明図である。
【図２】従来例におけるグロー放電における電極間距離と陽光柱の長さの関係を示すグラフである。
【図３】この発明の第１実施例におけるＰＤＰの正面図である。
【図４】図３のＶ−Ｖ線における断面図である。
【図５】図３のＷ−Ｗ線における断面図である。
【図６】同実施例における強電界領域の発生状態を示す説明図である。
【図７】同実施例のグロー放電における行電極間距離と陽光柱の長さの関係を示すグラフである。
【図８】誘電体層の強電界による絶縁破壊を説明するための正面図である。
【図９】同側断面図である。
【図１０】同実施例における誘電体層の強電界による絶縁破壊の防止構造を説明するための背面図である。
【図１１】同側断面図である。
【図１２】図１０および１１において、誘電体膜厚と電界強度分布の関係を示すグラフである。
【図１３】図１０および１１において、電極突起の長さと電界強度分布の関係を示すグラフである。
【図１４】この発明の第２実施例におけるＰＤＰの電界制御用電極を示す正面図である。
【図１５】同電界制御用電極の側面図である。
【符号の説明】
【００８８】
１              …前面ガラス基板（基板）
２              …誘電体層
３              …保護層
４              …背面ガラス基板（基板）
Ａ              …強電界領域
Ｃ              …放電セル（単位発光領域）
Ｄ              …列電極
Ｘ，Ｙ          …行電極
Ｘａ，Ｙａ      …透明電極
Ｚ，Ｚｘ，Ｚｙ  …電界制御用電極
Ｚｘａ，Ｚｙａ  …突起
Ｚａ            …第１突起
Ｚｂ            …第２突起
ｉ              …等電位線
【図１】
2007265772.tif 000003
【図２】
2007265772.tif 000004
【図３】
2007265772.tif 000005
【図４】
2007265772.tif 000006
【図５】
2007265772.tif 000007
【図６】
2007265772.tif 000008
【図７】
2007265772.tif 000009
【図８】
2007265772.tif 000010
【図９】
2007265772.tif 000011
【図１０】
2007265772.tif 000012
【図１１】
2007265772.tif 000013
【図１２】
2007265772.tif 000014
【図１３】
2007265772.tif 000015
【図１４】
2007265772.tif 000016
【図１５】
2007265772.tif 000017